(57)【要約】【課題】消毒済みの材料の二次汚染を防止する。設定された加熱処理の工程が正確に実行されるようにする。【解決手段】消毒作業場１に稲藁類からなる材料Ｐを加熱処理により消毒する消毒装置２が設置され、消毒装置２が内部に材科Ｐを収容する筒形の消毒缶２ａと消毒缶２ａに消毒熱を供給する熱源部２ｂとを備えてなる。消毒装置２の消毒缶２ａの軸方向の中途で消毒作業場１を非清浄区域と清浄区域とに区画し、消毒装置２の消毒缶２ａの一端部に材科Ｐが投入される開閉蓋付きの投入口２ｃを設けて消毒作業場１の非清浄区域に位置させ他端部に材科Ｐが排出される開閉蓋付きの排出口２ｄを設けて消毒作業場１の清浄区域に位置させた。【選択図】　　　　　　　　図１
2004121227.tif 000002
【特許請求の範囲】
【請求項１】
消毒作業場に稲藁類からなる材料を加熱処理により消毒する消毒装置が設置され、消毒装置が内部に材料を収容する筒形の消毒缶と消毒缶に消毒熱を供給する熱源部とを備えてなる稲藁類消毒設備において、消毒装置の消毒缶の軸方向の中途で消毒作業場を非清浄区域と清浄区域とに区画し、消毒装置の消毒缶の一端部に材料が投入される開閉蓋付きの投入口を設けて消毒作業場の非清浄区域に位置させ他端部に材料が排出される開閉蓋付きの排出口を設けて消毒作業場の清浄区域に位置させたことを特徴とする稲藁類消毒設備。
【請求項２】
請求項１の稲藁類消毒設備において、消毒装置の熱源部は消毒作業場の非清浄区域に配置されていることを特徴とする稲藁類消毒設備。
【請求項３】
請求項１または２の稲藁類消毒設備において、消毒作業場の清浄区域は入室者を洗浄する洗浄室が隣設されていることを特徴とする稲藁類消毒設備。
【請求項４】
請求項１〜３のいずれかの稲藁類消毒設備において、消毒作業場に消毒熱で加熱された材料の温度変化である温度履歴を検査する消毒温度検査手段が備えられていることを特徴とする稲藁類消毒設備。
【請求項５】
請求項４の稲藁類消毒設備において、消毒温度検査手段は材料に取付けられて温度履歴を記憶する温度センサと温度センサの記億した温度履歴を解析する解析装置とからなることを特徴とする稲藁類消毒設備。
【請求項６】
請求項４の稲藁類消毒設備において、消毒温度検査手段は消毒済みの材料の酵素またはたんぱく質を利用して温度履歴を解析するものであることを特徴とする稲藁類消毒設備。
【請求項７】
請求項１〜６のいずれかの稲藁類消毒設備において、消毒作業場に全域を撮影可能な監視カメラが設置され、消毒作業場の非清浄区域，清浄区域を区画する区画壁は透視可能であることを特徴とする稲藁類消毒設備。
【請求項８】
消毒作業場に設置され内部に稲藁類からなる材料を収容して加熱処理により消毒する筒形の消毒缶を備え、消毒缶の一端部が材料の投入，排出を兼用する投入排出口とされ他端部が閉塞されてなる消毒装置について、２台の消毒缶の閉塞されている他端部をそれぞれ切断し接合して横長形に形成し、両端部に位置する投入排出口を材料を投入する投入口と材料を排出する排出口とに専用化させることを特徴とする消毒装置の製造方法。
【請求項９】
稲藁類からなる材料が加熱処理により消毒された稲藁類消毒製品において、材料の加熱処理の前後での交差がないことを特徴とする稲藁類消毒製品。
【請求項１０】
請求項９の稲藁類消毒製品において、請求項１〜７のいずれかの稲藁類消毒設備により材料が加熱処理されて消毒されたことを特徴とする稲藁類消毒製品。
【発明の詳細な説明】
【０００１】
【発明の属する技術分野】本発明は、稲藁類に付着している害虫，病菌等を消毒して死滅させる設備等に係る技術分野に属する。
【０００２】
【従来の技術】収穫された稲藁類は、安全，衛生的な家畜飼料，敷料，畳材料，園芸資料等として使用するために、付着している害虫，病菌等を死滅させる消毒が行われる。この消毒では、一般的に加熱処理が選択され、植物防疫法では少なくとも８６℃の消毒熱を４分間以上保持し、家畜伝染病予防法では少なくとも８０℃の消毒熱を１０分間以上保持することが必要とされている。
【０００３】
従来、稲藁類消毒技術としては、例えば、適当長に切断した稲藁類を結束，網袋包装等してブロック化した材料を消毒装置に投入してバッチ式で消毒するものが知られている。消毒装置は、一端部が材料の投入，排出を兼用する投入排出口とされ投入排出口を閉鎖して内部に収容された材料を消毒する筒形の消毒缶と、消毒缶に消毒熱を供給する熱源部とからなる。なお、消毒装置の消毒缶，熱源部については、加熱処理手段として採用される減圧蒸気加熱方式，熱風加熱方式，マイクロ波加熱方式等に対応した構造に構成される。
【０００４】
【発明が解決しようとする課題】前述の従来の稲藁類消毒技術では、消毒装置の消毒缶に投入される未消毒の材料と消毒装置の消毒缶から排出された消毒済みの材料とが消毒装置の消毒缶の投入排出口付近で交差してしまうため、消毒済みの材料が再び害虫，病菌等で汚染されることがあるという問題点がある。また、単純なバッチ式の消毒装置を使用するため、作業員の資質，管理能力によっては設定された加熱処理の工程が正確に実行されないことがあるという問題点がある。
【０００５】
本発明は、このような問題点を考慮してなされたもので、消毒済みの材料が二次汚染されることがなく、しかも設定された加熱処理の工程が正確に実行される稲藁類消毒設備と、この稲藁類消毒設備への設置に好適な消毒設備を製造するための消毒装置の製造方法と、二次汚染のない稲藁類消毒製品とを提供することを課題とする。
【０００６】
【課題を解決するための手段】前述の課題を解決するため、本発明に係る稲藁類消毒設備は、次のような手段を採用する。
【０００７】
即ち、請求項１に記載のように、消毒作業場に稲藁類からなる材料を加熱処理により消毒する消毒装置が設置され、消毒装置が内部に材料を収容する筒形の消毒缶と消毒缶に消毒熱を供給する熱源部とを備えてなる稲藁類消毒設備において、消毒装置の消毒缶の軸方向の中途で消毒作業場を非清浄区域と清浄区域とに区画し、消毒装置の消毒缶の一端部に材料が投入される開閉蓋付きの投入口を設けて消毒作業場の非清浄区域に位置させ他端部に材料が排出される開閉蓋付きの排出口を設けて消毒作業場の清浄区域に位置させたことを特徴とする。
【０００８】
この手段では、材料が消毒装置の消毒缶を介して消毒作業場の非清浄区域から清浄区域へ一方通行で送られ、消毒作業場の非清浄区域，清浄区域の両区画の問での作業員の移動が防止され作業員の作業が専業化される。
【０００９】
また、請求項２に記載のように、請求項１の稲藁類消毒設備において、消毒装置の熱源部は消毒作業場の非清浄区域に配置されていることを特徴とする。
【００１０】
この手段では、保守点検等で周囲を汚損しやすい消毒装置の熱源部が消毒作業場の非清浄区域に配置される。
【００１１】
また、請求項３に記載のように、請求項１または２の稲藁類消毒設備において、消毒作業場の清浄区域は入室者を洗浄する洗浄室が隣設されていることを特徴とする。
【００１２】
この手段では、清浄区域への入室者は洗浄室で洗浄される。
【００１３】
また、請求項４に記載のように、請求項１〜３のいずれかの稲藁類消毒設備において、消毒作業場に消毒熱で加熱された材料の温度変化である温度履歴を検査する消毒温度検査手段が備えられていることを特徴とする。
【００１４】
この手段では、温度履歴から設定された加熱処理の工程が正確に実行されたか否かを検査する。
【００１５】
また、請求項５記載のように、請求項４の稲藁類消毒設備において、消毒温度検査手段は材料に取付けられて温度履歴を記憶する温度センサと温度センサの記憶した温度履歴を解析する解析装置とからなることを特徴とする。
【００１６】
この手段では、温度センサを材料に取付けることによって温度履歴を検査する。
【００１７】
また、請求項６に記載のように、請求項４の稲藁類消毒設備において、消毒温度検査手段は消毒済みの材料の酵素またはたんぱく質を利用して温度履歴を解析するものであることを特徴とする。
【００１８】
この手段では、清浄区域において、消毒済の材料の（材料から採取した）酵素またはたんぱく質に熱を加えられたか否かの温度履歴をみて、消毒の有無を検査する。
【００１９】
また、請求項７に記載のように、請求項１〜６のいずれかの稲藁類消毒設備において、消毒作業場に全域を撮影可能な監視カメラが設置され、消毒作業場の非清浄区域，清浄区域を区画する区画壁は透視可能であることを特徴とする。
【００２０】
この手段では、消毒作業場の全域が監視カメラ，目視で監視される。
【００２１】
さらに、前述の課題を解決するため、本発明に係る消毒装置の製造方法は、次のような手段を採用する。
【００２２】
即ち、請求項８に記載のように、消毒作業場に設置され内部に稲藁類からなる材料を収容して加熱処理により消毒する筒形の消毒缶を備え、消毒缶の一端部が材料の投入，排出を兼用する投入排出口とされ他端部が閉塞されてなる消毒装置について、２台の消毒缶の閉塞されている他端部をそれぞれ切断し接合して横長形に形成し、両端部に位置する投入排出口を材料を投入する投入口と材料を排出する排出口とに専用化させることを特徴とする。
【００２３】
この手段では、２台の消毒缶が切断した部分から接合され横長形に形成され、投入排出口が投入口，排出口に専用化される。
【００２４】
さらに、前述の課題を解決するため、本発明に係る稲藁類消毒製品は、次のような手段を採用する。
【００２５】
即ち、請求項９に記載のように、稲藁類からなる材料が加熱処理により消毒された稲藁類消毒製品において、材料の加熱処理の前後での交差がないことを特徴とする。
【００２６】
この手段では、消毒済み材料の未消毒の材料との接触が回避される。
【００２７】
また、請求項１０に記載のように、請求項９の稲藁類消毒製品において、請求項１〜７のいずれかの稲藁類消毒設備により材料が加熱処理されて消毒されたことを特徴とする。
【００２８】
この手段では、前述の稲藁類消毒設備により二次汚染なく材料が消毒される。
【００２９】
【発明の実施の形態】以下、本発明に係る稲藁類消毒設備，消毒装置の製造方法および稲藁類消毒製品の実施の形態を図面に基づいて説明する。
【００３０】
図１〜図５は、本発明に係る稲藁類消毒設備，消毒装置の製造方法および稲藁類消毒製品の実施の形態（１）を示すものである。
【００３１】
この実施の形態では、図１に示すように、方形の床面の建屋として構築された消毒作業場１に２台の消毒装置２が設置されたものが示されている。なお、この実施の形態の消毒対象となる材料Ｐは、収穫された稲藁類を適当長に切断して結束，網袋包装等してブロック化したものである。ここで、稲藁類とは稲藁，麦藁，牧草等をいう。
【００３２】
消毒作業場１は、区画壁１ａによって原料庫１ｂ，保管庫１ｃの２つに区画されている。区画壁１ａは、原料庫１ｂ，保管庫１ｃの互いの作業員の出入りを不能にするとともに、原料庫１ｂ，保管庫１ｃの間の通気を遮断している。なお、この区画壁１ａは、原料庫１ｂ，保管庫１ｃの内部の状況を互いに透視できる構造とする。例えば、ガラス窓のようなものを設置した壁構造やガラス張り構造としたり、あるいは監視カメラ２８により監視できるように構成することができる。原料庫１ｂは、消毒前の材料Ｐを集積して個数，重量，外観等の検査を実施する場所で、害虫，病菌等が存在する可能性のある非清浄区域となっている。保管庫１ｃは、消毒済みの材料Ｐの製品検査等を実施する場所で、害虫，病菌等を死滅させた状態を保持している清浄区域となっている。
【００３３】
消毒作業場１の原料庫１ｂには、準備庫３，作業員待機所４が並列して隣設されている。
【００３４】
準備庫３は、外部から運搬されてきた材料Ｐを荷受けする場所である。準備庫３と外部との間には、外部から材料Ｐを荷受けする際に開放される搬入用外シヤッタ５が設けられている。準備庫３と消毒作業場１の原料庫１ｂとの間には、準備庫３から消毒作業場１の原料庫１ｂに材料Ｐを搬入する際に開放される搬入用内シヤッタ６が設けられている。
【００３５】
搬入用外シヤッタ５，搬入用内シヤッタ６は、外気の流入による害虫，病菌等の侵入を防止するために、一方が開放される際に他方が閉鎖されるように設定されている。
【００３６】
作業員待機所４は、消毒作業場１の原料庫１ｂで作業する作業員が準備，待機する場所である。作業員待機所４の内部には、作業員の清潔状態を保持するためのトイレ，洗面等の水周り施設７が設けられている。作業員待機所４と外部との間には、作業員が作業員待機所４と外部との間を移動する際に開放される外出入口８が設けられている。作業員待機所４と消毒作業場１の原料庫１ｂとの間には、作業員が作業員待機所４と消毒作業場１の原料庫１ｂとの間を移動する際に開放される内出入口９が設けられている。
【００３７】
外出入口８，内出入口９は、外気の流入による害虫，病菌等の侵入を防止するために、一方が開放される際に他方が閉鎖されるように設定されている。
【００３８】
消毒作業場１の保管庫１ｃには、コンテナ積載庫１０，コンテナ消毒庫１１が直列して隣設されている。
【００３９】
コンテナ積載庫１０は、稲藁類消毒製品としての消毒済みの材料Ｐを船舶用コンテナ等のコンテナＣに積載する場所である。コンテナ積載庫１０と消毒作業場１の保管庫１ｃとの間には、材料Ｐを消毒作業場１の保管庫１ｃからコンテナ積載庫１０に搬出する際に開放される搬出用シヤッタ１２と、材料Ｐを消毒作業場１の保管庫１ｃからコンテナ積載庫１０に搬出する際に汚損度の高い床面との接触を避ける積載用台１３とが設けられている。なお、積載用台１３を省略してフォークリフト等の荷役作業機を使用することで、材料Ｐの床面との接触を避けることもできる。
【００４０】
コンテナ消毒庫１１は、コンテナＣを消毒する場所である。コンテナ消毒庫１１とコンテナ積載庫１０との問には、コンテナＣが出入りする際に開放される内出入口１４が設けられている。コンテナ消毒庫１１と外部との間には、コンテナＣが出入りする際に開放される外出入口１５が設けられている。
【００４１】
搬出用シヤッタ１２，内出入口１４は、外気の流入による害虫，病菌等の侵入を防止するために、一方が開放される際に他方が閉鎖されるように設定されている。また、内出入口１４，外出入口１５は、外気の流入による害虫，病菌等の侵入を防止するために、一方が開放される際に他方が閉鎖されるように設定されている。
【００４２】
消毒作業場１の原料庫１ｂ，保管庫１ｃの間には、洗浄室１６，作業員待機所１７，予備室１８，１９が直接的，間接的に隣設されている。
【００４３】
洗浄室１６は、消毒作業場１の原料庫１ｂに入室する作業員，検疫官等をエアーシャワー等で洗浄する場所である。洗浄室１６と消毒作業場１の保管庫１ｃとの間には、作業員，検疫官等が洗浄室１６と消毒作業場１の原料庫１ｂとの間を移動する際に開放される内出入口２０が設けられている。
【００４４】
作業員待機所１７は、消毒作業場１の保管庫１ｃで作業する作業員が準備，待機する場所で、洗浄室１６に隣接されて間接的に消毒作業場１の原料庫１ｂに隣接されている。作業員待機所１７の内部には、作業員の清潔状態を保持するためのトイレ，洗面等の水周り施設２１が設けられている。作業員待機所１７と洗浄室１６との間には、作業員が作業員待機所１７と洗浄室１６との間を移動する際に開放される中出入口２２が設けられている。
【００４５】
１つの予備室１８は、洗浄室１６と消毒作業場１の原料庫１ｂとを遮断する空間を形成する場所である。予備室１８と消毒作業場１の原料庫１ｂとの間には、検疫官等が予備室１８と消毒作業場１の原料庫１ｂとの問を移動する際に開閉される内出入口２３が設けられている。予備室１８と洗浄室１６との間には、検疫官等が予備室１８と洗浄室１６との間を移動する際に開閉される中出入口２４が設けられている。
【００４６】
他の１つの予備室１９は、作業員待機所１７と外部とを遮断する空間を形成する場所である。予備室１９と作業員待機所１７との間には、作業員が予備室１９と作業員待機所１７との間を移動する際に開放される中出入口２５が設けられている。予備室１９と前記予備室１８との間には、検疫官等が予備室１８，１９の間を移動する際に開放される中出入口２６が設けられている。予備室１９と外部との間には、作業員，検疫官等が予備室１９と外部との間を移動する際に開放される外出入口２７が設けられている。
【００４７】
内出入口２０，中出入口２２，中出入口２４の３つと内出入口２３，中出入口２４，中出入口２６の３つと中出入口２５，中出入口２６，外出入口２７の３つとは、外気の流入による害虫，病菌等の侵入を防止するために、それぞれ一つが開放される際に他の２つが閉鎖されるように設定されている。中出入口２２，中出入口２５は、外気の流入による害虫，病菌等の侵入を防止するために、一方が開放される際に他方が閉鎖されるように設定されている。なお、少なくとも内出入口２３には、消毒作業場１の原料庫１ｂ，保管庫１ｃで作業する作業員の互いの出入りを規制する通過者チェック機構が備えられている。
【００４８】
消毒装置２は、内部に材料Ｐを収容する筒形の消毒缶２ａと消毒缶２ａに消毒熱を供給する熱源部２ｂとを備えてなる。消毒缶２ａの一端部には、材料Ｐが投入される開閉蓋付きの投入口２ｃが設けられている。消毒缶２ａの他端部には、材料Ｐが排出される開閉蓋付きの排出口２ｄが設けられている。この消毒缶２ａは、例えば、図２に示すように、従来の消毒缶２００ａ，熱源部２００ｂからなる消毒装置２００（消毒缶２００ａの一端部が材料Ｐの投入，排出を兼用する投入排出口２００ｃとされている）を改造して製造される。即ち、２台の消毒缶２００ａの閉塞されている他端部２００ｄを切断し、切断した部分を接合することで、両投入排出口２００ｃを投入口２ｃ，排出口２ｄに対応させる改造を実施する。
【００４９】
この製造例によると、従来の既存の消毒装置２００の消毒缶２ａの軸方向で略々２倍の横長に構成することができ、材料収容容積を２倍とすることができる。また、消毒缶２ａの軸方向の略々２倍全長を非清浄区域と清浄区域とにそれぞれ設置することができ、非清浄区域と清浄区域とのスペースを大きくとることができる。また、従来の既存の消毒装置２００を簡単に改造して消毒装置２を製造することができるため、消毒装置２の製造コストが安価になる。
【００５０】
この消毒装置２は、消毒缶２ａが消毒作業場１の区画壁１ａを貫通するように設置されている。従って、消毒装置２の投入口２ｃは、消毒作業場１の非清浄区域（原料庫１ｂ）に位置している。また、消毒装置２の排出口２ｄは、消毒作業場１の清浄区域（保管庫１ｃ）に位置している。なお、消毒作業場１の区画壁１ａは、消毒装置２の消毒缶２ａの軸方向の排出口２ｄ寄りに偏位している。このため、消毒作業場１の非清浄区域である原料庫１ｂに保守点検等で周囲を汚損しやすい消毒装置２の熱源部２ｂが配置され、消毒作業場１の清浄区域である保管庫１ｃの清浄性が保持されるようになっている。
【００５１】
さらに、この実施の形態では、消毒作業場１，準備庫３，コンテナ積載庫１０，コンテナ消毒庫１１に監視カメラ２８が設置され、消毒作業場１の原料庫１ｂに区画された中央制御室２９で各場所での作業員の作業状況や材料Ｐの流れ等を監視できるようになっている。なお、監視カメラ２８の一部は、前述の内出入口２０，内出入口２３を出入する者を撮影する方向に向けられている。
【００５２】
さらに、この実施の形態では、消毒作業場１に消毒装置２で消毒された材料Ｐの温度変化である温度履歴を検査する２種類の消毒温度検査手段３０，３１が備えられている。
【００５３】
１つの消毒温度検査手段３０は、材料Ｐに取付けられて温度履歴を記憶する白金抵抗体等からなる温度センサ３０ａと、温度センサ３０ａの記憶した温度履歴を解析する読取機器，コンピュータ等の解析装置３０ｂとからなる。
【００５４】
他の１つの消毒温度検査手段３１は、材料Ｐから採取したサンプルＳを酵素を利用して蛍光測定することで温度履歴を読取るものである。酵素としては、例えば、フオスファターゼが挙げられる。
【００５５】
この実施の形態は、図４に示すような材料Ｐの流れを構成することで消毒が実施される。
【００５６】
即ち、準備庫３から消毒作業場１の原料庫１ｂに搬入された材料Ｐは、前述のように個数，重量，外観等が検査され、必要な情報が記録される。その後、図３（Ａ）に示すように、材料Ｐの内部に消毒温度検査手段３０の温度センサ３０ａが挟込まれるようにして取付けられる。
【００５７】
続いて、図３（Ａ），図５に示すように、材料Ｐが消毒装置２の開放された投入口２ｃから消毒缶２ａに投入される。このとき、消毒装置２の排出口２ｄが閉鎖されていて、消毒作業場１の清浄区域である保管庫１ｃに害虫，病菌が侵入するのを防止している。
【００５８】
続いて、図３（Ｂ），図５に示すように、消毒装置２の投入口２ｃが閉鎖され、消毒缶２ａに熱源部２ｂから消毒熱が供給される。この結果、消毒装置２の消毒缶２ａに収容されている材料Ｐが消毒され付着している害虫，病菌等が死滅されることになる。
【００５９】
続いて、図３（Ｃ），図５に示すように、消毒装置２の排出口２ｄが開放され、消毒缶２ａから材料Ｐが排出される。このとき、消毒装置２の投入口２ｃが閉鎖されていて、消毒作業場１の清浄区域である保管庫１ｃに害虫，病菌が侵入するのを防止している。
【００６０】
続いて、図３（Ｃ）に示すように、材料Ｐから消毒温度検査手段３０の温度センサ３０ａを取外しサンプルＳを採取する。そして、消毒温度検査手段３０の解析装置３０ｂや消毒温度検査手段３１によって、消毒熱により加熱された材料Ｐの温度履歴が検査される。このとき、材料Ｐの目視検査や切断内部検査等も併行される。
【００６１】
消毒され検査に合格した材料Ｐは、コンテナ消毒庫１１で消毒されたコンテナＣにコンテナ積載庫１０で積載されて出荷される。
【００６２】
前述の材料Ｐの流れの構成では、材料Ｐが一方通行で送られて消毒の前後に混在（交差）することがない。従って、消毒済みの材料Ｐに消毒前の材料Ｐの害虫，病菌等が付着する二次汚染が確実に防止される。また、材料Ｐの流れの構成の全体で外気の流入による害虫，病菌等の侵入を防止していること、消毒作業場１の清浄区域である保管庫１ｃへの入室の際に洗浄室１６を通過させるようにしていることも、消毒済みの材料Ｐの二次汚染の防止に寄与する。
【００６３】
また、前述の材料Ｐの流れの構成では、消毒作業場１の非清浄区域である原料庫１ｂと清浄区域である保管庫１ｃとの両区画の間での作業員の移動が防止される。従って、両区画での作業員の作業が専業化され、設定された加熱処理の工程が正確に実行される。なお、検疫官等を消毒作業場１の原料庫１ｂ，保管庫１ｃの両区画の間を移動可能にし、監視カメラ２８で作業員の作業を監視し、消毒作業場１の区画壁１ａを透視可能にして内部の状況を互いに透視できるようにして、作業員の作業を確実に実行させるようにしていることも、設定された加熱処理の工程が正確に実行されることに寄与する。また、消毒温度検査手段３０，３１によって設定された加熱処理の工程が正確に実行された否かを加熱処理の途中経過である温度履歴から検証することができるため、不良な稲藁類消毒製品が出荷されることがなくなる。
【００６４】
また、前述の監視ないし透視した情報は、図示しない中央制御室を設けて監視することも可能である。さらに、消毒温度検査手段３０，３１はたんぱく質等を利用して温度履歴を解析することも可能である。
【００６５】
図６は、本発明に係る稲藁類消毒設備，消毒装置の製造方法および稲藁類消毒製品の実施の形態（２）を示すものである。
【００６６】
この実施の形態では、保管庫１ｃに受渡室３２を介して保管管理室１ｃ’を隣接してある。なお、受渡室３２には、保管庫１ｃ，保管管理室１ｃ’側に選択的に開放される２つの出入口３２ａ，３２ｂが設けられている。また、準備庫３が複数庫３ａ，３ｂ，３ｃに分割されて消毒作業場１から離されている。また、予備室１８，１９が省略されている。
【００６７】
この実施の形態によると、保管庫１ｃを消毒作業室に位置付けて、保管管理室１ｃ’で稲藁類消毒製品の保管管理を行うことができる。従って、稲藁類消毒製品をより完全に保管管理することができ、製品品質を高めることができる。
【００６８】
また、この実施の形態において、保管管理室１ｃ’又は必要に応じて保管庫１ｃまでを陽圧に維持することができる。陽圧は大気圧より僅かに高く設定し、保管中における稲藁類消毒製品への外気侵入による二次汚染を防止する。
【００６９】
また、準備庫３が複数庫３ａ，３ｂ，３ｃに分割されているため、消毒作業場１へ搬入される材料Ｐを産地，加工工場ごとに区分けして、適切な消毒処理を行うことができる。
【００７０】
また、予備室１８，１９の省略によって、作業員，検疫官等の消毒作業室１の原料庫１ｂ，保管庫１ｃの間の出入りが完全に阻止されるため、清浄区域，非清浄区域の区画がより確実になる。
【００７１】
【発明の効果】以上のように、本発明に係る稲藁類消毒設備は、材料が消毒装置の消毒缶を介して消毒作業場の非清浄区域から清浄区域へ一方通行で送られるため、消毒済みの材料が二次汚染されることがない効果がある。
【００７２】
また、消毒作業場の非清浄区域，清浄区域の両区画の間での作業員の移動が防止され作業員の作業が専業化されるため、設定された加熱処理の工程が正確に実行される効果がある。
【００７３】
さらに、本発明に係る消毒装置は、２台の消毒缶を切断して接合することで既存の消毒缶を利用して改造することができ、特に略々２倍全長を利用して非清浄区域と清浄区域とにそれぞれ設置することができる効果がある。
【００７４】
さらに、本発明に係る稲藁類消毒製品は、消毒の前後での材料の交差がなく二次汚染が避けられて完全に消毒されるため、安全かつ衛生的な家畜飼料や敷料等としての使用が可能になる効果がある。
【図面の簡単な説明】
【図１】本発明に係る稲藁類消毒設備の実施の形態（１）を示す平面配置図である。
【図２】図１の要部の製造例を示す平面図である。
【図３】図１の要部の作業工程を示す平面図である。
【図４】図１の全体の材料の流通経路をすフローチヤートである。
【図５】図１の要部の操作工程を示すフローチヤートである。
【図６】本発明に係る稲藁類消毒設備の実施の形態（２）を示す平面配置図である。
【符号の説明】
１　　　　　　消毒作業場
１ａ　　　　　区画壁
１ｂ　　　　　原料庫（非清浄区域）
１ｃ　　　　　保管庫〈清浄区域）
２　　　　　　消毒装置
２ａ　　　　　消毒缶
２ｂ　　　　　熱源部
２ｃ　　　　　投入口
２ｄ　　　　　排出口
１６　　　　　洗浄室
２８　　　　　監視カメラ
３０　　　　　消毒温度検査手段
３０ａ　　　　温度センサ
３０ｂ　　　　解析装置
３１　　　　　消毒温度検査手段
Ｐ　　　　　　材料
Ｓ　　　　　　サンプル
【図１】
2004121227.tif 000003
【図２】
2004121227.tif 000004
【図３】
2004121227.tif 000005
【図４】
2004121227.tif 000006
【図５】
2004121227.tif 000007
【図６】
2004121227.tif 000008